(57)【要約】【課題】ショートカットリストの表示が短時間で切り替わることによるちらつき、及びユーザのショートカット選択間違いを防止する。【解決手段】判断部４は、車載端末１０に対して行われる１つの操作の開始時点から終了時点までの時間であるショートカットリスト作成時間内に、位置情報取得部２により取得される位置情報又は操作情報取得部３により取得される操作情報の少なくとも一方が、予め定められた条件に合うか否かを判断する。作成部５は、予め定められた条件と車載端末１０を操作するためのショートカットリストとの対応関係が定義された定義情報を用いて、判断部４により位置情報又は操作情報の少なくとも一方に合うと判断された条件に対応するショートカットリストを作成する。結合部７は、作成部５によりショートカットリスト作成時間内に作成されたショートカットリストを１つのショートカットリストに結合する。表示制御部８は、結合部７により結合されたショートカットリストを車載端末１０の表示部に表示させる。【選択図】図１
2019124559.tif 000002
【特許請求の範囲】
【請求項１】
車載端末が搭載された車両の位置情報を取得する位置情報取得部と、
前記車載端末に対して行われた操作の内容を示す操作情報を取得する操作情報取得部と、
予め定められたショートカットリスト作成時間内に、前記位置情報取得部により取得される位置情報又は前記操作情報取得部により取得される操作情報の少なくとも一方が、予め定められた条件に合うか否かを判断する判断部と、
前記予め定められた条件と前記車載端末を操作するためのショートカットリストとの対応関係が定義された情報を用いて、前記判断部により位置情報又は操作情報の少なくとも一方に合うと判断された条件に対応するショートカットリストを作成する作成部と、
前記作成部により前記ショートカットリスト作成時間内に作成されたショートカットリストを１つのショートカットリストに結合する結合部と、
前記結合部により結合されたショートカットリストを前記車載端末の表示部に表示させる表示制御部とを備える表示制御装置。
【請求項２】
前記作成部は、ショートカットのスコアを前記位置情報又は前記操作情報の少なくとも一方に基づいて変更し、変更後のスコアが高い順に前記ショートカットを並べたショートカットリストを作成することを特徴とする請求項１記載の表示制御装置。
【請求項３】
前記ショートカットリスト作成時間は、前記車載端末に対して行われる１つの操作の開始時点から終了時点までの時間であることを特徴とする請求項１記載の表示制御装置。
【請求項４】
前記ショートカットリスト作成時間は、前記位置情報又は前記操作情報の少なくとも一方に合うと判断された条件に対応するショートカットリストが作成された開始時点から予め定められた時間が経過する終了時点までの時間であることを特徴とする請求項１記載の表示制御装置。
【請求項５】
前記ショートカットリスト作成時間内に生じると予測される予測位置情報及び予測操作情報を作成する予測部を備え、
前記判断部は、前記予測部により作成された予測位置情報又は予測操作情報の少なくとも一方が、前記予め定められた条件に合うか否かを判断し、
前記作成部は、前記判断部により予測位置情報又は予測操作情報の少なくとも一方に合うと判断された条件に対応するショートカットリストを作成し、
前記結合部は、前記開始時点で作成された前記ショートカットリストと、前記判断部により予測位置情報又は予測操作情報の少なくとも一方に合うと判断された条件に対応する前記ショートカットリストとを１つのショートカットリストに結合することを特徴とする請求項４記載の表示制御装置。
【請求項６】
前記結合部により結合されたショートカットリストに対する、前記開始時点で作成された前記ショートカットリスト、及び前記判断部により予測位置情報又は予測操作情報の少なくとも一方に合うと判断された条件に対応する前記ショートカットリストの類似度を判定する類似度判定部を備え、
前記表示制御部は、前記類似度判定部により最も類似度が高いと判定されたショートカットリストの作成に用いられた位置情報又は予測位置情報が示す位置を前記車両が通過するタイミングで、前記結合部により結合された前記ショートカットリストを前記車載端末の表示部に表示させることを特徴とする請求項５記載の表示制御装置。
【請求項７】
前記車載端末は、ナビゲーション装置であることを特徴とする請求項１から請求項６のうちのいずれか１項記載の表示制御装置。
【請求項８】
位置情報取得部が、車載端末が搭載された車両の位置情報を取得するステップと、
操作情報取得部が、前記車載端末に対して行われた操作の内容を示す操作情報を取得するステップと、
判断部が、予め定められたショートカットリスト作成時間内に、前記位置情報取得部により取得される位置情報又は前記操作情報取得部により取得される操作情報の少なくとも一方が、予め定められた条件に合うか否かを判断するステップと、
作成部が、前記予め定められた条件と前記車載端末を操作するためのショートカットリストとの対応関係が定義された情報を用いて、前記判断部により位置情報又は操作情報の少なくとも一方に合うと判断された条件に対応するショートカットリストを作成するステップと、
結合部が、前記作成部により前記ショートカットリスト作成時間内に作成されたショートカットリストを１つのショートカットリストに結合するステップと、
表示制御部が、前記結合部により結合されたショートカットリストを前記車載端末の表示部に表示させるステップとを備える表示制御方法。
【請求項９】
車載端末が搭載された車両の位置情報を取得する位置情報取得手順と、
前記車載端末に対して行われた操作の内容を示す操作情報を取得する操作情報取得手順と、
予め定められたショートカットリスト作成時間内に、前記位置情報取得手順により取得される位置情報又は前記操作情報取得手順により取得される操作情報の少なくとも一方が、予め定められた条件に合うか否かを判断する判断手順と、
前記予め定められた条件と前記車載端末を操作するためのショートカットリストとの対応関係が定義された情報を用いて、前記判断手順により位置情報又は操作情報の少なくとも一方に合うと判断された条件に対応するショートカットリストを作成する作成手順と、
前記作成手順により前記ショートカットリスト作成時間内に作成されたショートカットリストを１つのショートカットリストに結合する結合手順と、
前記結合手順により結合されたショートカットリストを前記車載端末の表示部に表示させる表示制御手順とを、コンピュータに実行させる表示制御プログラム。
【発明の詳細な説明】
【技術分野】
【０００１】
この発明は、車載端末の表示を制御する表示制御装置、表示制御方法及び表示制御プログラムに関するものである。
【背景技術】
【０００２】
特許文献１に係るショートカット提供装置は、ある場所に関してユーザの端末に提供されるショートカットを、そのときどきの状況に応じてユーザ毎に異ならせるものである。このショートカット提供装置は、履歴情報により示される機能がどの位置において利用されたかを示す位置属性情報を用いて、端末の現在位置に応じた機能を抽出し、ショートカットとして端末に表示させる。
【先行技術文献】
【特許文献】
【０００３】
【特許文献１】特開２０１２−２０８７９２号公報
【発明の概要】
【発明が解決しようとする課題】
【０００４】
車両に搭載される車載端末は、車両の移動に伴い現在位置が時々刻々と変化する。そのため、特許文献１に係るショートカット提供装置が車載端末の機能に関するショートカットリストを表示させる場合、端末に表示されるショートカットリストの内容が時々刻々と変化することになり、場合によってはショートカットリストの内容が頻繁に更新されるという課題があった。ショートカットリストの内容が頻繁に更新されると、短時間で表示が切り替わることによるちらつき、及びユーザのショートカット選択間違いが生じる。
【０００５】
この発明は、上記のような課題を解決するためになされたもので、ショートカットリストの表示が短時間で切り替わることによるちらつき、及びユーザのショートカット選択間違いを防止することを目的とする。
【課題を解決するための手段】
【０００６】
この発明に係る表示制御装置は、車載端末が搭載された車両の位置情報を取得する位置情報取得部と、車載端末に対して行われた操作の内容を示す操作情報を取得する操作情報取得部と、予め定められたショートカットリスト作成時間内に、位置情報取得部により取得される位置情報又は操作情報取得部により取得される操作情報の少なくとも一方が、予め定められた条件に合うか否かを判断する判断部と、予め定められた条件と車載端末を操作するためのショートカットリストとの対応関係が定義された情報を用いて、判断部により位置情報又は操作情報の少なくとも一方に合うと判断された条件に対応するショートカットリストを作成する作成部と、作成部によりショートカットリスト作成時間内に作成されたショートカットリストを１つのショートカットリストに結合する結合部と、結合部により結合されたショートカットリストを車載端末の表示部に表示させる表示制御部とを備えるものである。
【発明の効果】
【０００７】
この発明によれば、ショートカットリストが作成されるタイミングで毎回表示させず、予め定められたショートカットリスト作成時間内に作成されるショートカットリストを１つに結合して表示させるようにしたので、ショートカットリストの表示が短時間で切り替わることによるちらつき、及びユーザのショートカット選択間違いを防止することができる。
【図面の簡単な説明】
【０００８】
【図１】実施の形態１に係る表示制御装置の構成例を示すブロック図である。
【図２】実施の形態１におけるショートカットリストの一例を示す図である。
【図３】図３Ａ及び図３Ｂは、車載端末におけるショートカットリストの表示例を示す図である。
【図４】実施の形態１における車載端末の操作状況と、ショートカットリスト作成タイミングとを示す図である。
【図５】実施の形態１に係る表示制御装置の動作例を示すフローチャートである。
【図６】実施の形態１におけるショートカットリストの結合方法例を説明する図である。
【図７】実施の形態２に係る表示制御装置の構成例を示すブロック図である。
【図８】実施の形態２におけるショートカットリスト作成タイミングを示す図である。
【図９】実施の形態２に係る表示制御装置の動作例を示すフローチャートである。
【図１０】実施の形態２における類似度の判定結果例を示す図である。
【図１１】各実施の形態に係る表示制御装置のハードウェア構成例を示す図である。
【発明を実施するための形態】
【０００９】
実施の形態１．
実施の形態１に係る表示制御装置は、車載端末に対するユーザの操作開始から操作終了までの間にショートカットリストを作成した場合、操作中にはショートカットリストを車載端末に表示させず、操作終了後に、操作中に作成した１つ以上のショートカットリストを結合した１つのショートカットリストを車載端末に表示させる。ここで、車載端末に対するユーザの操作開始から操作終了までの時間は、「ショートカットリスト作成時間」に相当する。
【００１０】
図１は、実施の形態１に係る表示制御装置１の構成例を示すブロック図である。図１において、表示制御装置１は、位置情報取得部２と、操作情報取得部３と、判断部４と、作成部５と、記憶部６と、結合部７と、表示制御部８とを備える。この表示制御装置１は、車両に搭載され、同じ車両に搭載された車載端末１０との間で情報の授受を行う。車載端末１０は、例えば、ナビゲーション機能を有するナビゲーション装置、又は、ナビゲーション機能及びオーディオ機能等を有するヘッドユニット等である。
【００１１】
位置情報取得部２は、車載端末１０と表示制御装置１とが搭載された車両の現在位置を示す位置情報を、車載端末１０から取得する。位置情報取得部２は、取得した位置情報を判断部４及び作成部５へ出力する。なお、位置情報取得部２は、車両の位置情報を取得できればよいため、表示制御対象である車載端末１０以外の車載端末から位置情報を取得してもよい。
【００１２】
操作情報取得部３は、表示制御対象である車載端末１０に対してユーザが行った操作の内容を示す操作情報を、車載端末１０から取得する。操作情報取得部３は、取得した操作情報を判断部４及び作成部５へ出力する。なお、車載端末１０は、ユーザの操作を受け付ける入力部として、タッチパネル、機械ボタン、リモートコントローラ、又は音声認識装置等を有する。
【００１３】
判断部４は、ショートカットリストを作成する条件を、予め保持している。ショートカットは、車載端末１０の操作のうち、操作階層が多く目的の機能を実行するまでに多数の操作を行う必要がある操作等について、ワンタッチで実行可能にした操作である。ショートカットリストは、複数のショートカットで構成される。条件は、特定の位置情報、特定の操作情報、又は特定の位置情報と特定の操作情報との組み合わせである。判断部４は、車載端末１０に対して行われる１つの操作の開始時点から終了時点までの時間であるショートカットリスト作成時間内に、位置情報又は操作情報の少なくとも一方が条件に合うか否かを判断する。判断部４は、位置情報又は操作情報の少なくとも一方が条件に合うと判断した場合、その旨を作成部５に通知する。なお、判断部４は、ショートカットリスト作成時間内であるか否かの判断を、操作情報に基づいて行う。
【００１４】
作成部５は、ショートカットリストを作成する条件と、車載端末１０を操作するためのショートカットリストとの対応関係が定義された定義情報を、予め保持している。作成部５は、判断部４により位置情報又は操作情報の少なくとも一方に合うと判断された条件に対応するショートカットリストを作成する。作成部５は、作成したショートカットリストと、位置情報取得部２により取得された位置情報とを、記憶部６に出力する。
【００１５】
記憶部６は、作成部５により作成されたショートカットリストと、位置情報取得部２により取得された位置情報とを、対応付けて記憶する。
【００１６】
結合部７は、ショートカットリスト作成時間内に作成されて記憶部６に記憶された１つ以上のショートカットリストを、１つのショートカットリストに結合する。結合部７は、結合したショートカットリストを操作終了時の位置情報に対応付けて、記憶部６に記憶させる。
【００１７】
表示制御部８は、結合部７により結合されたショートカットリストを、車載端末１０に対する１つの操作が終了した後、つまりショートカットリスト作成時間後に車載端末１０へ出力し、車載端末１０の表示部に表示させる。表示制御部８が表示部にショートカットリストを表示させる場合とは、ショートカットリストが表示されていない画面に新しくショートカットリストを表示させる場合だけでなく、画面表示中のショートカットリストを新しいショートカットリストに表示更新させる場合も含む。なお、車載端末１０は、表示制御装置１が出力するショートカットリストを表示するための、液晶ディスプレイ又はヘッドアップディスプレイ等の表示部を有する。
【００１８】
次に、ショートカットリストの作成方法を説明する。
図２は、実施の形態１におけるショートカットリストの一例を示す図である。作成部５は、特定の条件のときに車載端末１０に表示させるべき複数のショートカットを、１つのショートカットリストとして扱う。図２において、ショートカットリストに含まれる複数のショートカットは、スコアが高い順に並んでいる。
【００１９】
作成部５によるショートカットリスト内のショートカットの並び順決定方法は、２通りある。１つ目は、ショートカットのスコアを予め決めておき、スコア順にショートカットを並べたショートカットリストを作成する、というものである。２つ目は、位置情報又は操作情報の少なくとも一方に基づいて、特定のショートカットのスコアを一時的に変更し、変更したスコア順にショートカットを並べたショートカットリストを作成する、というものである。
【００２０】
まず、１つ目のショートカットの並び順決定方法の例として、特定の位置情報を条件とした例を説明する。
ここでは、「車両が自宅から１０ｋｍ以上離れた地点から出発した場合」という条件と、図２に示されるショートカットリストとが対応付けられた定義情報を、例に用いる。この定義情報におけるショートカットリストでは、車両が自宅から離れたところから出発したという理由により、ユーザがこれから自宅に帰る確率が高い、及び目的地を設定する確率が高いと判断され、「自宅へ行く」及び「登録地リストを表示する」というショートカットのスコアが予め１番目及び２番目に高く設定されている。また、ユーザが出発時に音楽を聴く可能性があると判断され、「ＣＤを再生する」というショートカットのスコアが予め３番目に高く設定されている。さらに、地図を「いつもの縮尺に変更する」というショートカットは、車両がどの位置にあっても使用される頻度が高いと判断され、スコアが予め４番目に高く設定されている。なお、作成部５は、ショートカットに含まれる「自宅」の位置、「登録地リスト」に含まれる登録地の位置、「ＣＤ」等のＡＶ（Ａｕｄｉｏ  Ｖｉｓｕａｌ）ソース、及び「いつもの縮尺」の値等を、過去に位置情報取得部２又は操作情報取得部３が車載端末１０から取得した位置情報又は操作情報の履歴に基づいて変更してもよい。
【００２１】
また、１つ目のショートカットの並び順決定方法の例として、特定の操作情報を条件とした例を説明する。
ここでは、「ユーザが施設のジャンル検索を開始した場合」という条件に対し、ユーザによる選択頻度が高いジャンルのショートカットを３つ含むショートカットリストとが対応付けられた定義情報を、例に用いる。作成部５は、過去に操作情報取得部３が車載端末１０から取得した操作情報の履歴に基づいて、ユーザによる選択頻度が高い３つのジャンル「コンビニエンスストア」、「和食」、及び「温泉」を決定し、「コンビニエンスストアを検索」、「和食を検索」、及び「温泉を検索」の３つのショートカットを含むショートカットリストを作成する。その際、作成部５は、ショートカットを選択頻度が高い順に並べることとし、「コンビニエンスストアを検索」というショートカットの順位を１位、「和食を検索」というショートカットの順位を２位、「温泉を検索」というショートカットの順位を３位にする。
【００２２】
続いて、２つ目のショートカットの並び順決定方法の例を説明する。
作成部５は、特定の位置情報又は特定の操作情報の少なくとも一方が予め定められた条件に合う場合、割込み的にその条件に対応するショートカットのスコアを一時的に変更する。そして、作成部５は、予め定められた時間が経過した後、一時的に変更したスコアを元に戻す。
【００２３】
例えば、作成部５は、位置情報が「車両が高速道路の出口から出た場合」という条件に合うと判断した場合、その条件に予め対応付けられている「コンビニエンスストアへ行く」というショートカットのスコアを一時的に一定量高くする。また、例えば、作成部５は、操作情報が「縮尺を変更する操作を終了した場合」という条件に合うと判断した場合、その条件に予め対応付けられている「いつもの縮尺に変更する」というショートカットのスコアを一時的に高くする。例えば作成部５は図２の例において、４位の「いつもの縮尺に変更する」というショートカットのスコアを一時的に４０点高くし、４位から２位へ順位を上げる。このとき、判断部４から作成部５に対して図２のショートカットリストを作成する旨が通知された場合、作成部５は、上記のように一時的にショートカットの順位を変更したショートカットリストを作成する。
【００２４】
なお、作成部５は、位置情報又は操作情報の履歴に基づいて、条件と、スコアを一時的に変更するショートカットとの対応関係を示す情報を、新たに作成してもよい。
【００２５】
次に、ショートカットリストの表示例を説明する。
図３Ａ及び図３Ｂは、車載端末１０におけるショートカットリストの表示例を示す図である。表示制御部８は、例えば、図２に示されるショートカットリストの中から、スコアが高い上位３つのショートカットを車載端末１０の表示部に表示させる。このとき、図３Ａ及び図３Ｂにおける操作Ａは「自宅へ行く」というショートカット、操作Ｂは「登録地リストを表示する」というショートカット、操作Ｃは「ＣＤを再生する」というショートカットに相当する。例えば、表示制御部８は、ダッシュボードの液晶ディスプレイのように表示画面が大きい表示部に対しては、図３Ａのように画面左側に地図画面を残したまま、画面右側に３つのショートカットを表示させる。また、例えば、表示制御部８は、ヘッドアップディスプレイのように表示画面が小さい表示部に対しては、図３Ｂのように画面全面に３つのショートカットを表示させる。なお、車載端末１０が複数の表示部を備える場合、表示制御部８は、複数の表示部のうちの少なくとも１つにショートカットリストを表示させてもよいし、全ての表示部にショートカットリストを表示させてもよい。
【００２６】
次に、ショートカットリスト作成のタイミング例を説明する。
図４は、実施の形態１における車載端末１０の操作状況と、ショートカットリスト作成タイミングとを示す図である。図４の時系列は、時刻ｔ１１、時刻ｔ１２、時刻ｔ１３、時刻ｔ１４の順である。
【００２７】
時刻ｔ１１は、ユーザが車載端末１０の操作を開始した時刻である。また、時刻ｔ１１において、車両は位置ｐ１１に存在する。時刻ｔ１１において、判断部４により位置情報又は操作情報の少なくとも一方が条件に合うと判断された場合、作成部５はこの条件に対応するショートカットリストを作成する。記憶部６は、ショートカットリストと位置ｐ１１の位置情報とを対応付けて記憶する。なお、時刻ｔ１１における操作情報及び位置情報が全ての条件に合わなかった場合、ショートカットリストは作成されない。
【００２８】
時刻ｔ１２は、時刻ｔ１１以降にユーザが車載端末１０を引き続き操作している最中、判断部４により位置情報又は操作情報の少なくとも一方が条件に合うと判断され、作成部５によりこの条件に対応するショートカットリストが作成された時刻である。記憶部６は、ショートカットリストと位置ｐ１２の位置情報とを対応付けて記憶する。
【００２９】
時刻ｔ１３は、時刻ｔ１２以降にユーザが車載端末１０を引き続き操作している最中、判断部４により位置情報又は操作情報の少なくとも一方が条件に合うと判断され、作成部５によりこの条件に対応するショートカットリストが作成された時刻である。記憶部６は、ショートカットリストと位置ｐ１３の位置情報とを対応付けて記憶する。
【００３０】
なお、図４の例では、操作開始後、操作中の時刻ｔ１２と時刻ｔ１３の２度、位置情報又は操作情報の少なくとも一方が条件に合うと判断されたため、２つのショートカットリストが作成されたが、条件に合う位置情報又は操作情報が無い場合、ショートカットリストは作成されない。
【００３１】
時刻ｔ１４は、ユーザが車載端末１０の操作を終了した時刻である。時刻ｔ１４において、判断部４における位置情報又は操作情報の少なくとも一方が条件に合うと判断された場合、作成部５はこの条件に対応するショートカットリストを作成する。記憶部６は、ショートカットリストと位置ｐ１４の位置情報とを対応付けて記憶する。なお、時刻ｔ１４における操作情報及び位置情報が全ての条件に合わなかった場合、ショートカットリストは作成されない。
【００３２】
次に、実施の形態１に係る表示制御装置１の動作例を説明する。
図５は、実施の形態１に係る表示制御装置１の動作例を示すフローチャートである。表示制御装置１は、図５のフローチャートに示される動作を繰り返し行う。
【００３３】
ステップＳＴ１０１において、位置情報取得部２は、車載端末１０からの位置情報の取得を開始する。位置情報は、車両の緯度経度、自宅までの距離、又は目的地までの距離等を含む。
【００３４】
ステップＳＴ１０２において、操作情報取得部３は、車載端末１０からの操作情報の取得を開始する。操作情報は、目的地を設定する、地図をスクロールする、ＣＤ等のＡＶソースを切り替える、又は音声を発話する等の操作について、操作の開始若しくは終了、操作した内容、又は設定した値等を含む。
【００３５】
ステップＳＴ１０３において、判断部４は、操作を開始したことを示す操作情報を操作情報取得部３が取得した場合（ステップＳＴ１０３“ＹＥＳ”）、ステップＳＴ１０４へ進み、それ以外の場合（ステップＳＴ１０３“ＮＯ”）、図５のフローチャートに示される動作を終了する。操作の開始とは、例えば、ユーザが車載端末１０のタッチパネルに手を触れて地図画面のスクロール若しくは縮尺変更をし始めた、音声を発話し始めた、又は目的地設定を開始するボタンを押下した等を指す。
なお、ステップＳＴ１０３は、図４における時刻ｔ１１（位置ｐ１１）に相当する。
【００３６】
ステップＳＴ１０４において、判断部４は、位置情報又は操作情報の少なくとも一方が条件に合うか否かを判断する。判断部４は、位置情報又は操作情報の少なくとも一方が条件に合う場合（ステップＳＴ１０４“ＹＥＳ”）。ステップＳＴ１０５へ進み、条件に合わない場合（ステップＳＴ１０４“ＮＯ”）、ステップＳＴ１０７へ進む。位置情報の条件とは、上述のような「車両が自宅から１０ｋｍ以上離れた地点から出発した場合」、及び「車両が高速道路の出口から出た場合」等である。操作情報の条件とは、上述のような「ユーザが施設のジャンル検索を開始した場合」、「ユーザが地図画面をスクロールした場合」、「ユーザが地図画面の縮尺を変更した場合」、「ユーザが音声を発話した場合」、及び「ユーザが目的地を設定した場合」等である。
【００３７】
ステップＳＴ１０５において、作成部５は、ステップＳＴ１０４で判断部４により位置情報又は操作情報の少なくとも一方に合うと判断された条件に対応するショートカットリストを作成する。
ステップＳＴ１０５は、図４における時刻ｔ１１（位置ｐ１１）、時刻ｔ１２（位置ｐ１２）、又は時刻ｔ１３（位置ｐ１３）に相当する。例えば、図４の時刻ｔ１２において位置ｐ１２の位置情報が「車両が自宅から１０ｋｍ以上離れた地点から出発した場合」という条件に合う場合、作成部５は、図２のショートカットリストを作成する。
【００３８】
ステップＳＴ１０６において、記憶部６は、ステップＳＴ１０５で作成部５により作成されたショートカットリストを、作成した位置の位置情報と対応付けて記憶する。上記の例であれば、記憶部６は、図２のショートカットリストを図４の位置ｐ１２の位置情報と対応付けて記憶する。
【００３９】
ステップＳＴ１０７において、判断部４は、操作を終了したことを示す操作情報を操作情報取得部３が取得した場合（ステップＳＴ１０７“ＹＥＳ”）、ステップＳＴ１０８へ進み、それ以外の場合（ステップＳＴ１０７“ＮＯ”）、ステップＳＴ１０４へ戻る。操作の終了とは、例えば、ユーザが車載端末１０の地図画面のスクロール若しくは縮尺変更を終了しタッチパネルから手を離した、音声の発話を止めた、又は目的地決定を指示するボタンを押下した等を指す。
なお、ステップＳＴ１０７は、図４における時刻ｔ１４（位置ｐ１４）に相当する。
【００４０】
ステップＳＴ１０８において、判断部４は、ステップＳＴ１０７で操作情報取得部３が操作を終了したことを示す操作情報を取得してから一定時間内、例えば０．５秒以内に上記操作を再開したことを示す操作情報を取得した場合（ステップＳＴ１０８“ＹＥＳ”）、ユーザがまだ上記操作を行っている状態と判断し、今の段階では操作を終了したとはみなさず、ステップＳＴ１０４へ戻る。一方、判断部４は、操作情報取得部３が一定時間内に上記操作を再開したことを示す操作情報を取得しなかった場合（ステップＳＴ１０８“ＮＯ”）、上記操作は完全に終了したと判断し、ステップＳＴ１０９へ進む。
なお、ステップＳＴ１０８の動作は、指が地図画面から離れるようなフリック操作をユーザが数回連続して行うことによって地図画面をスクロールさせる機能等、１つの機能を実行するために行われる複数回の操作を１つの操作として検出するために行われる。
【００４１】
ステップＳＴ１０９において、作成部５は、ステップＳＴ１０７の時刻ｔ１４において取得された位置情報又は操作情報の少なくとも一方に合う条件に対応するショートカットリストを作成する。
なお、図５の例では、操作が終了したことを示す操作情報が条件として定められており、操作終了時に必ずショートカットリストが１つ作成される。
【００４２】
ステップＳＴ１１０において、記憶部６は、ステップＳＴ１０９で作成部５により作成されたショートカットリストを、操作が終了した位置の位置情報、つまり図４の位置ｐ１４の位置情報と対応付けて記憶する。
【００４３】
ステップＳＴ１１１において、結合部７は、操作中にショートカットリストが作成され記憶部６に記憶されたか否かを確認する。結合部７は、ショートカットリストが作成されたことを確認した場合（ステップＳＴ１１１“ＹＥＳ”）、ステップＳＴ１１２へ進み、それ以外の場合（ステップＳＴ１１１“ＮＯ”）、ステップＳＴ１１４へ進む。
【００４４】
ステップＳＴ１１２において、結合部７は、記憶部６がステップＳＴ１０６で記憶した操作中のショートカットリストとステップＳＴ１１０で記憶した操作終了時のショートカットリストとを結合して、１つのショートカットリストを作成する。
【００４５】
図６は、実施の形態１におけるショートカットリストの結合方法例を説明する図である。結合部７は、例えば、複数のショートカットリストに含まれるショートカット毎にスコアの平均値を算出し、算出したスコア平均値の順にショートカットを並び替える。例えば、位置ｐ１２でショートカットリストＬ１が作成され、位置ｐ１３でショートカットリストＬ２が作成され、位置ｐ１４でショートカットリストＬ３が作成されたとすると、結合後はショートカットリストＬ４のようになる。なお、結合部７は、複数のショートカットリストについてショートカット毎に順位の平均値を算出し、算出した順位平均値の順にショートカットを並び替えてもよい。このように、結合部７は、ショートカットリストＬ１〜Ｌ３の各ショートカットのスコアを反映して、結合後のショートカットリストＬ４を作成できれば、どのような方法で結合してもよい。
【００４６】
ステップＳＴ１１３において、記憶部６は、ステップＳＴ１１２で結合部７により結合されたショートカットリストを、操作が終了した位置の位置情報、つまり図４の位置ｐ１４の位置情報と対応付けて記憶する。また、記憶部６は、ステップＳＴ１１２で結合部７が結合に用いたショートカットリストを削除する。図６の例では、記憶部６は、ショートカットリストＬ４を記憶し、ショートカットリストＬ１〜Ｌ３を削除する。
【００４７】
ステップＳＴ１１４において、表示制御部８は、結合部７により結合され記憶部６に記憶された、位置ｐ１４に対応するショートカットリストを、車載端末１０に出力し表示部に表示させる。表示制御部８は、上記ショートカットリストを表示部に表示させ続け、その後、図５のフローチャートに示される動作により結合部７において新たにショートカットリストが結合された場合、表示部の表示を上記ショートカットリストから新たなショートカットリストに更新する。
【００４８】
なお、表示制御装置１が図５のフローチャートに示される動作を行っている最中、作成部５は、位置情報又は操作情報の少なくとも一方が予め定められた条件に合うとき、割込み的にその条件に対応するショートカットのスコアを一時的に変更してもよい。そして、作成部５は、ステップＳＴ１０５及びステップＳＴ１０９において、一時的に変更したスコアが高い順にショートカットを並べたショートカットリストを作成してもよい。
【００４９】
以上のように、実施の形態１の位置情報取得部２は、車載端末１０が搭載された車両の位置情報を取得する。操作情報取得部３は、車載端末１０に対して行われた操作の内容を示す操作情報を取得する。判断部４は、車載端末１０に対して行われる１つの操作の開始時点から終了時点までの時間であるショートカットリスト作成時間内に、位置情報取得部２により取得される位置情報又は操作情報取得部３により取得される操作情報の少なくとも一方が、予め定められた条件に合うか否かを判断する。作成部５は、予め定められた条件と車載端末１０を操作するためのショートカットリストとの対応関係が定義された定義情報を用いて、判断部４により位置情報又は操作情報の少なくとも一方に合うと判断された条件に対応するショートカットリストを作成する。結合部７は、作成部５によりショートカットリスト作成時間内に作成されたショートカットリストを１つのショートカットリストに結合する。表示制御部８は、結合部７により結合されたショートカットリストを車載端末１０の表示部に表示させる。表示制御装置１は、ユーザが車載端末１０を操作しているときに、ショートカットリストが作成されるタイミングで毎回表示させず、操作が終了した後に表示させるようにしたので、ショートカットリストの表示が短時間で切り替わることによるちらつき、及びユーザのショートカット選択間違いを防止することができる。
【００５０】
また、実施の形態１の作成部５は、ショートカットのスコアを位置情報又は操作情報の少なくとも一方に基づいて変更し、変更後のスコアが高い順にショートカットを並べたショートカットリストを作成する。これにより、表示制御装置１は、そのときどきの車両の現在位置又はユーザの操作に適したショートカットを優先的に車載端末１０に表示させることができる。
【００５１】
実施の形態２．
実施の形態２に係る表示制御装置は、現在の時刻から予め定められた時間Ｔが経過するまでにショートカットリストを作成した場合、時間Ｔ中にはショートカットリストを車載端末に表示させず、時間Ｔ経過後に、時間Ｔ中に作成した１つ以上のショートカットリストを結合した１つのショートカットリストを車載端末に表示させる。なお、実施の形態１では、「ショートカットリスト作成時間」は、車載端末に対するユーザの操作開始から操作終了までの時間であったが、実施の形態２では、現在の時刻から予め定められた時間Ｔが経過するまでの時間とする。
【００５２】
図７は、実施の形態２に係る表示制御装置１の構成例を示すブロック図である。実施の形態２に係る表示制御装置１は、図１に示された実施の形態１の表示制御装置１に対して予測部４ａ及び類似度判定部９が追加された構成である。図７において図１と同一又は相当する部分は、同一の符号を付し説明を省略する。
【００５３】
予測部４ａは、最新の位置情報又は操作情報の少なくとも一方と、位置情報又は操作情報の少なくとも一方の履歴とに基づいて、今後の車両の位置を予測した予測位置情報を作成すると共に今後ユーザが行うであろう操作を予測した予測操作情報を作成する。例えば、予測部４ａは、履歴に基づいて、車両が高速道路の出口から出たときにユーザが車載端末１０に対して「コンビニエンスストアへ行く」という操作を行った回数が多いと判断した場合、現在、車両が高速道路の出口に近づいていれば出口位置を示す予測位置情報を作成すると共に「コンビニエンスストアへ行く」という予測操作情報を作成する。
【００５４】
実施の形態１と同様に、判断部４は、位置情報取得部２又は操作情報取得部３が取得する位置情報又は操作情報の少なくとも一方が、予め定められている条件に合うと判断した場合、その旨を作成部５に通知する。作成部５は、判断部４により位置情報又は操作情報の少なくとも一方に合うと判断された条件に対応するショートカットリストを作成する。記憶部６は、作成部５により作成されたショートカットリストと、位置情報取得部２により取得された位置情報とを、対応付けて記憶する。
【００５５】
さらに実施の形態２では、判断部４は、予測部４ａが作成した予測位置情報又は予測操作情報の少なくとも一方が、予め定められている上記条件に合うと判断した場合、その旨を作成部５に通知する。作成部５は、判断部４により予測位置情報又は予測操作情報の少なくとも一方に合うと判断された条件に対応するショートカットリストを作成する。記憶部６は、作成部５により作成されたショートカットリストと、予測部４ａにより作成された予測位置情報とを、対応付けて記憶する。
【００５６】
類似度判定部９は、結合部７により結合された１つのショートカットリストに対する、ショートカットリスト作成時間である時間Ｔ内に作成されて記憶部６に記憶された１つ以上のショートカットリストの、類似度を判定する。類似度とは、ショートカットリスト同士がどれくらい近しいかを示す指標である。類似度が高いほどショートカットリスト同士が類似しているものとする。
【００５７】
記憶部６は、ショートカットリスト作成時間である時間Ｔ内に作成されて記憶部６に記憶された１つ以上のショートカットリストのうちの類似度が最も高いショートカットリストに対応付けられた位置情報又は予測位置情報を、結合部７により結合された１つのショートカットリストに対応付けて記憶する。表示制御部８は、結合部７により結合された１つのショートカットリストを車載端末１０に出力し表示部に表示させる。
【００５８】
次に、ショートカットリスト作成のタイミング例を説明する。
図８は、実施の形態２におけるショートカットリスト作成タイミングを示す図である。図８の時系列は、時刻ｔ２１、時刻ｔ２２、時刻ｔ２３、時刻ｔ２４の順である。
【００５９】
時刻ｔ２１は、作成部５が、判断部４により位置情報又は操作情報の少なくとも一方に合うと判断された条件に対応するショートカットリストを作成した時刻である。この時刻ｔ２１は、現在時刻であり、時間Ｔの開始時刻である。時刻ｔ２１において、車両は位置ｐ２１に存在する。なお、記憶部６は、ショートカットリストと位置ｐ２１の位置情報とを対応付けて記憶する。
【００６０】
時刻ｔ２２は、時刻ｔ２１以降であって時間Ｔ内の時刻である。予測部４ａにより時刻ｔ２２における予測位置情報及び予測操作情報が作成され、かつ、判断部４により予測位置情報又は予測操作情報の少なくとも一方に合う条件があると判断され、作成部５は、その条件に対応するショートカットリストを作成する。つまり、時刻ｔ２２は、予測位置情報である位置ｐ２２を車両が通過する予測時刻である。記憶部６は、ショートカットリストと位置ｐ２２の予測位置情報とを対応付けて記憶する。
【００６１】
時刻ｔ２３は、時刻ｔ２２以降であって時間Ｔ内の時刻である。予測部４ａにより時刻ｔ２３における予測位置情報及び予測操作情報が作成され、かつ、判断部４により予測位置情報又は予測操作情報の少なくとも一方に合う条件があると判断され、作成部５は、その条件に対応するショートカットリストを作成する。つまり、時刻ｔ２３は、予測位置情報である位置ｐ２３を車両が通過する予測時刻である。記憶部６は、ショートカットリストと位置ｐ２３の予測位置情報とを対応付けて記憶する。
なお、図８の例では、時間Ｔ内の時刻ｔ２２と時刻ｔ２３の２度、予測位置情報又は予測操作情報の少なくとも一方が条件に合うと判断されたため、２つのショートカットリストが作成されたが、条件に合う予測位置情報又は予測操作情報が無い場合、ショートカットリストは作成されない。
【００６２】
時刻Ｘは、時間Ｔが終了する時刻である。
【００６３】
時刻ｔ２４は、時刻ｔ２１から開始した時間Ｔが終了した後、新たに、作成部５が、判断部４により位置情報又は操作情報の少なくとも一方に合うと判断された条件に対応するショートカットリストを作成した時刻である。時刻ｔ２４において、車両は位置ｐ２４に存在する。時間Ｔは、時刻ｔ２４から再び開始される。つまり、時間Ｔは、ショートカットリストが作成されたことをトリガにして開始される。また、時間Ｔの開始は、時間Ｔの間は行われず、必ず時間Ｔが終了した後、つまり時刻Ｘ以降に行われる。
【００６４】
次に、実施の形態２に係る表示制御装置１の動作例を説明する。
図９は、実施の形態２に係る表示制御装置１の動作例を示すフローチャートである。表示制御装置１は、図９のフローチャートに示される動作を繰り返し行う。
【００６５】
ステップＳＴ２０１及びステップＳＴ２０２は、図５のステップＳＴ１０１及びステップＳＴ１０２と同じである。
【００６６】
ステップＳＴ２０３において、判断部４は、位置情報取得部２が取得する位置情報に基づいて、車両が予め定められた時間Ｔに相当する区間にいるか否かを判断する。判断部４は、車両が時間Ｔに相当する区間にいると判断した場合（ステップＳＴ２０３“ＹＥＳ”）、図９のフローチャートに示される動作を終了し、車両が時間Ｔに相当する区間外にいると判断した場合（ステップＳＴ２０３“ＮＯ”）、ステップＳＴ２０４へ進む。つまり、判断部４は、図８の例において車両が時刻ｔ２１から時刻Ｘまでの時間Ｔに相当する区間にいる場合、図９のフローチャートに示される動作を終了し、車両が時刻Ｘ以降の位置にいる場合、ステップＳＴ２０４へ進む。
【００６７】
ステップＳＴ２０４において、判断部４は、図５のステップＳＴ１０４と同様に、現在の位置情報及び操作情報の少なくとも一方が条件に合うか否かを判断する。判断部４は、位置情報又は操作情報の少なくとも一方が条件に合う場合（ステップＳＴ２０４“ＹＥＳ”）、ステップＳＴ２０５へ進み、条件に合わない場合（ステップＳＴ２０４“ＮＯ”）、図９のフローチャートに示される動作を終了する。
【００６８】
ステップＳＴ２０５において、作成部５は、図５のステップＳＴ１０５と同様に、ステップＳＴ２０４で判断部４により位置情報及び操作情報の少なくとも一方に合うと判断された条件に対応するショートカットリストを作成する。また、作成部５は、現在位置でのショートカットリスト作成をトリガとして、ショートカットリスト作成時間である時間Ｔの計時を開始する。時間Ｔは、例えば、１０秒等の短時間である。
ステップＳＴ２０５は、図８における時刻ｔ２１（位置ｐ２１）に相当する。
【００６９】
ステップＳＴ２０６において、記憶部６は、図５のステップＳＴ１０６と同様に、ステップＳＴ２０５で作成部５により作成されたショートカットリストを、現在位置の位置情報と対応付けて記憶する。図８の例では、記憶部６は、ショートカットリストを位置ｐ２１の位置情報と対応付けて記憶する。
【００７０】
ステップＳＴ２０７において、予測部４ａは、位置情報、操作情報、又はそれらの履歴に基づいて、現在時刻から時間Ｔの間の予測位置情報及び予測操作情報を作成する。判断部４は、現在時刻から時間Ｔの間に、予測位置情報又は予測操作情報の少なくとも一方に合う条件があるか否かを判断する。判断部４は、条件があると判断した場合（ステップＳＴ２０７“ＹＥＳ”）、ステップＳＴ２０８へ進み、条件が無いと判断した場合（ステップＳＴ２０７“ＮＯ”）、ステップＳＴ２１５へ進む。例えば、図８において、「車両が自宅から１ｋｍ以上離れている場合」という条件があり、現在の位置ｐ２１が自宅から９５０ｍ離れている場合を想定する。予測部４ａにより位置ｐ２２において車両が自宅から１ｋｍ離れると予測された場合、判断部４は、位置ｐ２２において「車両が自宅から１ｋｍ以上離れている場合」という条件があると判断する。また、例えば「車両が高速道路の出口から出た場合」という条件があり、現在の位置ｐ２１が高速道路の出口から出る直前である場合を想定する。予測部４ａにより、車両がこのまま走行すると時間Ｔ以内に位置ｐ２３で出口から出ると予測された場合、判断部４は、位置ｐ２３において「車両が高速道路の出口から出た場合」という条件があると判断する。
【００７１】
ステップＳＴ２０８において、作成部５は、ステップＳＴ２０７で判断部４により判断された条件に対応するショートカットリストを作成する。
ステップＳＴ２０８は、図８における時刻ｔ２２（位置ｐ２２）及び時刻ｔ２３（位置ｐ２３）に相当する。
【００７２】
ステップＳＴ２０９において、記憶部６は、ステップＳＴ２０８で作成部５により作成されたショートカットリストを、予測位置情報と対応付けて記憶する。図８の例では、記憶部６は、２つのショートカットリストを位置ｐ２２及び位置ｐ２３の予測位置情報と対応付けて記憶する。
【００７３】
ステップＳＴ２１０において、結合部７は、記憶部６がステップＳＴ２０６で記憶した現在位置のショートカットリストとステップＳＴ２０９で記憶した予測位置のショートカットリストとを結合して、１つのショートカットリストを作成する。結合方法は、実施の形態１と同様である。ただし、現在位置から離れた予測位置のショートカットリストほど正確性が低くなるので、結合部７は、現在位置から離れた予測位置のショートカットリストに含まれるショートカットのスコアに小さい重みを付けて結合する等してもよい。例えば、結合部７は、現在の位置ｐ２１のショートカットリストに含まれるショートカットのスコアに「１．０」の重み付けをし、位置ｐ２２のショートカットリストに含まれるショートカットのスコアに「０．７」の重み付けをし、位置ｐ２３のショートカットリストに含まれるショートカットのスコアに「０．５」の重み付けをする。
【００７４】
ステップＳＴ２１１において、類似度判定部９は、ステップＳＴ２１０で結合部７により結合されたショートカットリストに対する、ステップＳＴ２０６及びステップＳＴ２０９で記憶部６に記憶されたショートカットリストの類似度を判定する。
【００７５】
図１０は、実施の形態２における類似度の判定結果例を示す図である。図１０では、図６に示されたショートカットリストＬ１〜Ｌ４の類似度が判定されたものとする。
類似度判定部９は、まず、操作Ａ等のショートカット毎に、ショートカットリストＬ４に対するショートカットリストＬ１，Ｌ２，Ｌ３それぞれのスコアの差分を算出する。続いて、類似度判定部９は、ショートカットリストＬ１，Ｌ２，Ｌ３それぞれについて、スコア差分の分散を算出する。この例では、類似度判定部９は、分散値が低いショートカットリストほど、結合後のショートカットリストＬ４との類似度が高いと判定する。よって、結合後のショートカットリストＬ４との類似度は、ショートカットリストＬ１が最も高く、ショートカットリストＬ３、ショートカットリストＬ２の順に類似度が低くなる。類似度判定部９は、類似度を相対的な値として用いることとし、ショートカットリストＬ１に類似度「３」、ショートカットリストＬ３に類似度「２」、ショートカットリストＬ２に類似度「１」を設定する。
【００７６】
ステップＳＴ２１２において、記憶部６は、ステップＳＴ２１１で類似度判定部９により判定された最も高い類似度をもつショートカットリストに対応付けられた位置情報又は予測位置情報の数を判断する。記憶部６は、位置情報又は予測位置情報が１つだけの場合（ステップＳＴ２１２“ＹＥＳ”）、ステップＳＴ２１３へ進み、２つ以上ある場合（ステップＳＴ２１２“ＮＯ”）、ステップＳＴ２１４へ進む。
【００７７】
ステップＳＴ２１３において、記憶部６は、結合後のショートカットリストに、最も高い類似度をもつショートカットリストに対応付けられた位置情報又は予測位置情報を、対応付けて記憶する。また、記憶部６は、ステップＳＴ２１０で結合部７が結合に用いたショートカットリストを削除する。例えば、図８の位置ｐ２１で図１０のショートカットリストＬ１が作成され、位置ｐ２２でショートカットリストＬ２が作成され、位置ｐ２３でショートカットリストＬ３が作成された場合を想定する。この場合、類似度が最も高いショートカットリストＬ１に対応する位置ｐ２１の位置情報が、結合後のショートカットリストＬ４に対応付けて記憶される。また、ショートカットリストＬ１〜Ｌ３は、記憶部６から削除される。
【００７８】
ステップＳＴ２１４において、記憶部６は、最も高い類似度をもつ２つ以上のショートカットリストの中から、現在位置又は現在位置に最も近い位置が対応付けられた１つのショートカットリストを選択する。これは、現在位置から離れるにつれてショートカットリストの正確性が低くなるためである。記憶部６は、選択したショートカットリストに対応付けられた位置情報又は予測位置情報を、結合後のショートカットリストに対応付けて記憶する。例えば、図８の位置ｐ２１で図１０のショートカットリストＬ１が作成され、位置ｐ２２でショートカットリストＬ２が作成され、位置ｐ２３でショートカットリストＬ３が作成された場合を想定する。そして、ショートカットリストＬ２，Ｌ３の類似度が同値かつ最も高い場合、現在の位置ｐ２１により近い位置ｐ２２で作成されたショートカットリストＬ２が選択され、位置ｐ２２の予測位置情報が、結合後のショートカットリストＬ４に対応付けて記憶される。また、ショートカットリストＬ１〜Ｌ３は、記憶部６から削除される。
【００７９】
ステップＳＴ２１５において、表示制御部８は、結合部７により結合され記憶部６に記憶されたショートカットリストを、車載端末１０に出力し表示部に表示させる。なお、表示制御部８は、時間Ｔの開始直後に、ショートカットリストを車載端末１０に表示させてもよい。または、表示制御部８は、位置情報取得部２により取得される位置情報に基づいて、車両がショートカットリストに対応付けられた位置を通過するタイミングでこのショートカットリストを車載端末１０に表示させてもよい。表示制御部８は、上記ショートカットリストを表示部に表示させ続け、その後、図９のフローチャートに示される動作により結合部７において新たにショートカットリストが結合された場合、表示部の表示を上記ショートカットリストから新たなショートカットリストに更新する。
【００８０】
なお、表示制御装置１が図９のフローチャートに示される動作を行っている最中、作成部５は、位置情報又は操作情報の少なくとも一方が予め定められた条件に合うとき、割込み的にその条件に対応するショートカットのスコアを一時的に変更してもよい。そして、作成部５は、ステップＳＴ２０５及びステップＳＴ２０８において、一時的に変更したスコアが高い順にショートカットを並べたショートカットリストを作成してもよい。
【００８１】
以上のように、実施の形態２の表示制御装置１は、ショートカットリスト作成時間内に生じると予測される予測位置情報及び予測操作情報を作成する予測部４ａを備える。このショートカットリスト作成時間は、位置情報又は操作情報の少なくとも一方に合うと判断された条件に対応するショートカットリストが作成された開始時点から予め定められた時間が経過する終了時点までの時間Ｔである。そして、判断部４は、予測部４ａにより作成された予測位置情報又は予測操作情報の少なくとも一方が、予め定められた条件に合うか否かを判断する。作成部５は、判断部４により予測位置情報又は予測操作情報の少なくとも一方に合うと判断された条件に対応するショートカットリストを作成する。結合部７は、時間Ｔの開始時点で作成されたショートカットリストと、判断部４により予測位置情報又は予測操作情報の少なくとも一方に合うと判断された条件に対応するショートカットリストとを１つのショートカットリストに結合する。表示制御装置１は、ショートカットリストが作成されるタイミングで毎回表示させず、予め定められた時間Ｔ内に作成されるショートカットリストを１つに結合したショートカットリストのみを表示させるようにしたので、ショートカットリストの表示が短時間で切り替わることによるちらつき、及びユーザのショートカット選択間違いを防止することができる。
【００８２】
また、実施の形態２の表示制御装置１は、結合部７により結合されたショートカットリストに対する、時間Ｔの開始時点で作成されたショートカットリスト、及び判断部４により予測位置情報又は予測操作情報の少なくとも一方に合うと判断された条件に対応するショートカットリストの類似度を判定する類似度判定部９を備える。そして、表示制御部８は、類似度判定部９により最も類似度が高いと判定されたショートカットリストの作成に用いられた位置情報又は予測位置情報が示す位置を車両が通過するタイミングで、結合部７により結合されたショートカットリストを車載端末１０の表示部に表示させる。これにより、表示制御装置１は、予め定められた時間Ｔの間の最適な車両位置で、結合後のショートカットリストを車載端末１０に表示させることができる。
【００８３】
最後に、各実施の形態に係る表示制御装置１のハードウェア構成を説明する。
図１１は、各実施の形態に係る表示制御装置１のハードウェア構成例を示す図である。表示制御装置１における位置情報取得部２、操作情報取得部３、判断部４、予測部４ａ、作成部５、結合部７、表示制御部８、及び類似度判定部９の各機能は、処理回路により実現される。即ち、表示制御装置１は、上記各機能を実現するための処理回路を備える。処理回路は、メモリ１０２に格納されるプログラムを実行するプロセッサ１０１である。表示制御装置１における記憶部６は、メモリ１０２である。また、条件及び定義情報等は、メモリ１０２に記憶されている。プロセッサ１０１と、メモリ１０２と、車載端末１０とは、バス１０３等により接続される。
【００８４】
位置情報取得部２、操作情報取得部３、判断部４、予測部４ａ、作成部５、結合部７、表示制御部８、及び類似度判定部９の各機能は、ソフトウェア、ファームウェア、又はソフトウェアとファームウェアとの組み合わせにより実現される。ソフトウェア又はファームウェアはプログラムとして記述され、メモリ１０２に格納される。プロセッサ１０１は、メモリ１０２に格納されたプログラムを読みだして実行することにより、各部の機能を実現する。即ち、表示制御装置１は、プロセッサ１０１により実行されるときに、図５又は図９のフローチャートで示されるステップが結果的に実行されることになるプログラムを格納するためのメモリ１０２を備える。また、このプログラムは、位置情報取得部２、操作情報取得部３、判断部４、予測部４ａ、作成部５、結合部７、表示制御部８、及び類似度判定部９の手順又は方法をコンピュータに実行させるものであるとも言える。
【００８５】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、マイクロプロセッサ、又はマイクロコンピュータ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよいし、ＣＤ又はＤＶＤ（Ｄｉｇｉｔａｌ  Ｖｅｒｓａｔｉｌｅ  Ｄｉｓｃ）等の光ディスクであってもよい。
【００８６】
なお、本発明はその発明の範囲内において、各実施の形態の自由な組み合わせ、各実施の形態の任意の構成要素の変形、又は各実施の形態の任意の構成要素の省略が可能である。
【符号の説明】
【００８７】
１  表示制御装置、２  位置情報取得部、３  操作情報取得部、４  判断部、４ａ  予測部、５  作成部、６  記憶部、７  結合部、８  表示制御部、９  類似度判定部、１０  車載端末、１０１  プロセッサ、１０２  メモリ、１０３  バス、Ｌ１〜Ｌ４  ショートカットリスト、ｔ１１〜ｔ１４、ｔ２１〜ｔ２４  時刻、Ｔ  時間、ｐ１１〜ｐ１４、ｐ２１〜ｐ２４  位置。
【図１】
2019124559.tif 000003
【図２】
2019124559.tif 000004
【図３】
2019124559.tif 000005
【図４】
2019124559.tif 000006
【図５】
2019124559.tif 000007
【図６】
2019124559.tif 000008
【図７】
2019124559.tif 000009
【図８】
2019124559.tif 000010
【図９】
2019124559.tif 000011
【図１０】
2019124559.tif 000012
【図１１】
2019124559.tif 000013